(57)【特許請求の範囲】
【請求項１】
操作面上を指で操作されるタッチ操作手段（１４）を備え、
ディスプレイ（２０）の表示内容を前記タッチ操作手段の操作に応じて変更させる表示操作装置であって、
前記ディスプレイには、第１レイヤの表示内容と第２レイヤの表示内容が重ねて表示されており、
前記タッチ操作手段の操作に応じて、前記第１レイヤの表示内容を変更させることなく前記第２レイヤの表示内容を変更させる第１操作モードと、
前記タッチ操作手段の操作に応じて前記第１レイヤの表示内容を変更させる第２操作モードと、を切り替え操作するモード切替操作手段（１４ａ）を備え、
前記操作面の一部が、前記モード切替操作手段として機能するモード切替操作部（１４ａ）として割り当てられており、
前記タッチ操作手段は、前記モード切替操作部をタッチする第１の指と、前記モード切替操作部以外の部分（１４ｂ）をスライド操作する第２の指との両方を同時に検知可能に構成され、
前記モード切替操作手段は、前記モード切替操作部を前記第１の指でタッチしている時には前記第１操作モードに切り替え、前記モード切替操作部から前記第１の指が離されている時には前記第２操作モードに切り替えることを特徴とする表示操作装置。
【請求項２】
前記タッチ操作手段は、指で操作面上をなぞるスライド操作を検知可能であり、
前記第１レイヤの表示内容は、前記ディスプレイの背景表示であり、
前記第２レイヤの表示内容は、前記背景表示上に表示されている複数の選択候補点（２１〜２３、２４〜２８）であり、
前記第１操作モードでは、前記背景表示をスクロールさせることなく、前記複数の選択候補点のうち前記スライド操作に応じた位置の選択候補点を、他の選択候補点とは異なる態様で表示させ、
前記第２操作モードでは、前記スライド操作に応じて前記背景表示をスクロールさせることを特徴とする請求項１に記載の表示操作装置。
【請求項３】
前記複数の選択候補点の密集度合いが所定以上であることを条件として、前記第１操作モードへの切り替えを許可することを特徴とする請求項２に記載の表示操作装置。
【請求項４】
操作面上を指で操作されるタッチ操作手段（１４）を備え、
ディスプレイ（２０）の表示内容を前記タッチ操作手段の操作に応じて変更させる表示操作装置であって、
前記ディスプレイには、第１レイヤの表示内容と第２レイヤの表示内容が重ねて表示されており、
前記タッチ操作手段の操作に応じて、前記第１レイヤの表示内容を変更させることなく前記第２レイヤの表示内容を変更させる第１操作モードと、
前記タッチ操作手段の操作に応じて前記第１レイヤの表示内容を変更させる第２操作モードと、を切り替え操作するモード切替操作手段（１４ａ、１９）を備え、
前記タッチ操作手段は、指で操作面上をなぞるスライド操作を検知可能であり、
前記第１レイヤの表示内容は、前記ディスプレイの背景表示であり、
前記第２レイヤの表示内容は、前記背景表示上に表示されている複数の選択候補点（２１〜２３、２４〜２８）であり、
前記第１操作モードでは、前記背景表示をスクロールさせることなく、前記複数の選択候補点のうち前記スライド操作に応じた位置の選択候補点を、他の選択候補点とは異なる態様で表示させ、
前記第２操作モードでは、前記スライド操作に応じて前記背景表示をスクロールさせ、
前記複数の選択候補点の密集度合いが所定以上であることを条件として、前記第１操作モードへの切り替えを許可することを特徴とする表示操作装置。
【請求項５】
前記操作面の一部が、前記モード切替操作手段として機能するモード切替操作部（１４ａ）として割り当てられていることを特徴とする請求項４に記載の表示操作装置。
【請求項６】
前記タッチ操作手段は、前記モード切替操作部をタッチする第１の指と、前記モード切替操作部以外の部分（１４ｂ）をスライド操作する第２の指との両方を同時に検知可能に構成されていることを特徴とする請求項５に記載の表示操作装置。
【請求項７】
前記モード切替操作手段は、
前記モード切替操作部を前記第１の指でタッチしている時には前記第１操作モードに切り替え、
前記モード切替操作部から前記第１の指が離されている時には前記第２操作モードに切り替えることを特徴とする請求項６に記載の表示操作装置。
【請求項８】
前記スライド操作により同一の選択候補点を所定時間以上選択した場合、その選択候補点の選択を決定して、当該選択候補点に割り当てられているコマンドを実行させることを特徴とする請求項２〜７のいずれか１つに記載の表示操作装置。
【請求項９】
請求項１〜８のいずれか１つに記載の表示操作装置および前記ディスプレイを車両の室内に分離して搭載し、
前記室内のうち、車両運転時の視線に近い側に前記ディスプレイを配置し、車両運転時の手元側に前記表示操作装置を配置したことを特徴とする表示システム。
【発明の詳細な説明】
【技術分野】
【０００１】
本発明は、指で操作面上をなぞるスライド操作が可能な表示操作装置に関する。
【背景技術】
【０００２】
特許文献１には、地図（背景）および複数の目的地候補（選択候補点）を表示させるディスプレイと、その表示内容を操作する表示操作装置とが記載されている。表示内容の操作の具体例としては、複数の目的地候補の中から１つを選択し、その選択した目的地候補に関する情報を表示させる操作や、地図をスクロールさせる操作等が挙げられる。
【先行技術文献】
【特許文献】
【０００３】
【特許文献１】特開２００９−２３０６４０号公報
【発明の概要】
【発明が解決しようとする課題】
【０００４】
近年の表示操作装置には、指で操作面上をなぞるスライド操作が可能な、タッチパッドやタッチパネルを採用するものがある。しかしこの場合、スライド操作したユーザは、スライド方向に位置する目的地候補に選択を切り替えたいのか、或いはスライド方向に地図をスクロールさせたいのかを、表示操作装置は判別できない。
【０００５】
特に、複数の目的地候補が密集している場合には、所望の目的地候補をタップ操作（操作面を指で叩く操作）で選択することは困難であり、地図を拡大操作させた後、スライド操作により目的地候補の選択を切り替えていくことを要する。しかし、このような意図でスライド操作させても、その意図に反して地図がスクロールしてしまうと、目的地候補の選択切り替えができなくなる。
【０００６】
なお、上記課題は、地図上に複数の目的地候補を表示させる場合に限るものではない。例えば、複数のボタンアイコン（選択候補点）をページレイヤ（背景）上に表示させている場合において、スライド方向に位置するボタンアイコンに選択を切り替えたいのか、或いはスライド方向にページレイヤをスクロールさせたいのかを、表示操作装置は判別できない。
【０００７】
本発明は、上記問題を鑑みてなされたもので、その目的は、意図に反した表示になることの回避を図った表示操作装置を提供することにある。
【課題を解決するための手段】
【０００８】
上記目的を達成する第１の発明は以下の点を特徴とする。すなわち、操作面上を指で操作されるタッチ操作手段（１４）を備え、ディスプレイ（２０）の表示内容をタッチ操作手段の操作に応じて変更させる表示操作装置であって、ディスプレイには、第１レイヤの表示内容と第２レイヤの表示内容が重ねて表示されており、タッチ操作手段の操作に応じて、第１レイヤの表示内容を変更させることなく第２レイヤの表示内容を変更させる第１操作モードと、タッチ操作手段の操作に応じて、第１レイヤの表示内容を変更させる第２操作モードと、を切り替え操作するモード切替操作手段（１４ａ）を備え、操作面の一部が、モード切替操作手段として機能するモード切替操作部（１４ａ）として割り当てられており、タッチ操作手段は、モード切替操作部をタッチする第１の指と、モード切替操作部以外の部分（１４ｂ）をスライド操作する第２の指との両方を同時に検知可能に構成され、モード切替操作手段は、モード切替操作部を第１の指でタッチしている時には第１操作モードに切り替え、モード切替操作部から第１の指が離されている時には第２操作モードに切り替えることを特徴とする。
また、上記目的を達成する第２の発明は以下の点を特徴とする。すなわち、操作面上を指で操作されるタッチ操作手段（１４）を備え、ディスプレイ（２０）の表示内容をタッチ操作手段の操作に応じて変更させる表示操作装置であって、ディスプレイには、第１レイヤの表示内容と第２レイヤの表示内容が重ねて表示されており、タッチ操作手段の操作に応じて、第１レイヤの表示内容を変更させることなく第２レイヤの表示内容を変更させる第１操作モードと、タッチ操作手段の操作に応じて第１レイヤの表示内容を変更させる第２操作モードと、を切り替え操作するモード切替操作手段（１４ａ、１９）を備え、タッチ操作手段は、指で操作面上をなぞるスライド操作を検知可能であり、第１レイヤの表示内容は、ディスプレイの背景表示であり、第２レイヤの表示内容は、背景表示上に表示されている複数の選択候補点（２１〜２３、２４〜２８）であり、第１操作モードでは、背景表示をスクロールさせることなく、複数の選択候補点のうちスライド操作に応じた位置の選択候補点を、他の選択候補点とは異なる態様で表示させ、第２操作モードでは、スライド操作に応じて背景表示をスクロールさせ、複数の選択候補点の密集度合いが所定以上であることを条件として、第１操作モードへの切り替えを許可することを特徴とする。
【０００９】
これら第１の発明および第２の発明によれば、ユーザは、スライド操作するに先立ちモード切替操作手段を操作して、第１操作モードと第２操作モードと、を切り替えることができる。そのため、タッチ操作手段を操作したユーザは、第１レイヤの表示内容を変更させたいのか、或いは第２レイヤの表示内容を変更させたいのかを、表示操作装置は判別できる。よって、ユーザの意図に反した表示になることを回避できる。
【００１０】
さらに、第２の発明では、指で操作面上をなぞるスライド操作が可能なタッチ操作手段（１４）を備えるとともに、ディスプレイ（２０）の背景表示（Ｍ、Ｌ）をスクロールさせることなく、前記背景表示上に表示されている複数の選択候補点（２１〜２３、２４〜２８）のうち前記スライド操作に応じた位置の選択候補点を、他の選択候補点とは異なる態様で表示させる選択モード（第１操作モード）と、前記スライド操作に応じて前記背景表示をスクロールさせるスクロールモード（第２操作モード）と、を切り替え操作するモード切替操作手段（１４ａ、１９）を備えることを特徴とする。
【００１１】
これによれば、ユーザは、スライド操作するに先立ちモード切替操作手段を操作して、背景表示のスクロールを禁止させつつスライド操作に応じた位置の選択候補点を選択表示させる選択モードと、スライド操作に応じて背景表示をスクロールさせるスクロールモードと、を切り替えることができる。そのため、スライド操作したユーザは、スライド方向に背景をスクロールさせたいのか、或いはスライド方向に位置する選択候補点に選択を切り替えたいのかを、表示操作装置は判別できる。よって、ユーザの意図に反した表示になることを回避できる。
【図面の簡単な説明】
【００１２】
【図１】本発明の第１実施形態において、表示操作装置および遠方表示器の配置レイアウトを示す図。
【図２】図１に示す表示システムのブロック図。
【図３】第１実施形態において、選択モード時にスライド操作した場合の表示変化を示す図。
【図４】第１実施形態において、スクロールモード時にスライド操作した場合の表示変化を示す図。
【図５】第１実施形態にかかる表示操作装置の単体を示す斜視図。
【図６】第１実施形態において、選択モード時の表示態様の一例を示す図。
【図７】第１実施形態および第２実施形態において、スクロールモードおよび選択モードの切り替えを実施する制御の手順を示すフローチャート。
【図８】本発明の第３実施形態にかかる表示システムのブロック図。
【図９】本発明の第４実施形態において、選択モード時にスライド操作した場合の表示変化を示す図。
【図１０】本発明の第４実施形態において、スクロールモード時にスライド操作した場合の表示変化を示す図。
【発明を実施するための形態】
【００１３】
以下、本発明にかかる表示操作装置を示す各実施形態について、図面を参照しつつ説明する。なお、以下の各実施形態相互において、互いに同一もしくは均等である部分には、図中、同一符号を付しており、同一符号の部分についてはその説明を援用する。
【００１４】
（第１実施形態）
図１に示すように、表示操作装置１０は、車両の室内のうち車両運転者（ユーザ）の手が届く範囲内に搭載される。表示操作装置１０による操作内容は遠方表示器２０（ディスプレイ）に表示される。遠方表示器２０はフロントウインドシールド３０の近傍に設置されている。表示操作装置１０は、運転席と助手席の間に位置する、センターコンソールの意匠パネル３１（設置部材）に設置されている。つまり、表示操作装置１０と遠方表示器２０は別々に分離して配置されており、遠方表示器２０は表示操作装置１０よりも上方に配置されている。
【００１５】
このように、表示操作装置１０と遠方表示器２０を分離して配置することで、運転者は、車両走行運転時の視線を大きく動かすことなく遠方表示器２０を見ることができる。また、表示操作装置１０を運転者の手元近くに配置することができるので、運転者は、走行運転時の姿勢のまま表示操作装置１０を操作できる。
【００１６】
表示操作装置１０は、遠方表示器２０の表示内容を操作することで、車両に搭載された複数の機器（操作対象機器）の作動内容を操作する装置である。具体例としては、車両に搭載されたナビゲーション機器、オーディオ機器、テレビ、ラジオ、空調機器等が挙げられる（図２中の符号４０参照）。遠方表示器２０には、上述した各種機器４０に対する操作内容が表示される他、各種機器４０の作動状態や、表示操作装置１０の操作により決定される操作メニューも表示される。図３および図４の例では、ナビゲーション機器による地図Ｍ等を遠方表示器２０に表示させている。
【００１７】
表示操作装置１０は、ユーザにより手動操作される複数の操作スイッチ１１、１２、１３およびタッチパッド１４（タッチ操作手段）を備える。操作スイッチ１１〜１３は、端子の接触状態を手動でオンオフ操作する機械式のスイッチであり、車両左右方向（図１の左右方向）に複数並べて配置されている。これらの操作スイッチ１１〜１３は、運転者の左手の薬指、中指、人差し指により各々操作されることを想定している。
【００１８】
タッチパッド１４は、公知の静電容量式にて構成されている。また、タッチパッド１４は操作スイッチ１１〜１３に隣接して配置されており、図１の例では操作スイッチ１１〜１３の下方または車両後方側に配置されている。タッチパッド１４は、操作プレート上における運転者の指先の動作を、静電容量の変化に基づき検出する。具体的には、操作プレート上における指先の接触位置や、操作プレートを指先でなぞった時の指先軌跡、操作プレートを指先で叩く動作（タップ操作）、操作プレートに触れている指先を目的位置までなぞる動作（スライド操作）、操作プレートに触れている指先を素早くはらう動作（フリック操作）等を検出する。なお、タップ操作については、操作プレートへの指先押付力を検出する圧力センサをタッチパッド１４に搭載して検出してもよいし、静電容量の変化に基づき検出してもよい。
【００１９】
これらの操作スイッチ１１〜１３およびタッチパッド１４は、ブラインド操作が可能である。つまり、運転者は、遠方表示器２０に表示されている地図Ｍや操作メニューを見ながら、表示操作装置１０をブラインド操作して、各機器４０を操作できる。
【００２０】
図２に示すように、表示操作装置１０は、操作スイッチ１１〜１３およびタッチパッド１４の他、静電検出回路１６、ＭＰＵ１７（マイクロ・プロセッシング・ユニット）、および通信回路１８を備える。タッチパッド１４は、指先の動作により生じた静電容量変化を、指先動作信号として静電検出回路１６へ出力する。静電検出回路１６は、指先動作信号をシリアル信号によってＭＰＵ１７へ出力する。
【００２１】
ＭＰＵ１７は、静電検出回路１６から出力される指先動作信号と、操作スイッチ１１〜１３から出力されるオンオフ信号とに基づき操作信号を生成して出力する。通信回路１８は、ＣＡＮ等の通信プロトコルを用いて、遠方表示器２０および各種機器４０とＭＰＵ１７との間で双方向通信させる。これにより、ＭＰＵ１７から出力された操作信号は、遠方表示器２０および各種機器４０へ送信可能となる。遠方表示器２０および各種機器４０は、操作信号に応じた制御内容で作動する。
【００２２】
図３および図４は、ナビゲーション機器４０による地図Ｍ（背景）を、遠方表示器２０に表示（背景表示）させている場合の一態様を示しており、地図Ｍ上には、ユーザが関心を持つ地点であるＰＯＩ２１、２２、２３（Points Of Interest）が複数表示されている。ＰＯＩ２１〜２３の具体例としては車両の目的地候補（選択候補点）が挙げられる。なお、地図Ｍを表示する第１レイヤと、ＰＯＩ２１〜２３を表示する第２レイヤとは、別々のレイヤで構成されており、これらの両レイヤを重畳して表示することで、図３および図４に例示する態様の表示となる。  また、地図Ｍ上にはポインタＰが表示されている。タッチパッド１４の表面に指先を接触させた状態で該指先を適宜の方向へスライドさせる操作（以下「スライド操作」と記載）をすると、そのスライド量およびスライド方向に応じて、ポインタＰの表示位置が移動する。そして、複数のＰＯＩ２１〜２３のうちポインタＰが位置するＰＯＩは、他のＰＯＩとは異なる態様で強調表示される。図３（ａ）の例では、ＰＯＩ２１を二重線２１ｋで囲み、図３（ｂ）および図４の例では、ＰＯＩ２２を二重線２２ｋで囲むことで強調表示させている。
【００２３】
さて、選択しているＰＯＩ２１を別のＰＯＩ２２に変更させたい場合には、スライド操作してポインタＰの位置を移動させればよいことは先述した通りである。しかし、このスライド操作に伴い地図Ｍがスクロールすると、所望のＰＯＩ２２上にポインタＰを位置させることが困難になる。そこで本実施形態では、地図Ｍのスクロールを禁止させつつ、スライド操作によるポインタＰの移動が可能な選択モード（第１操作モード）と、スライド操作に応じて地図Ｍをスクロールさせるスクロールモードと（第２操作モード）に切り替え可能に構成されている。
【００２４】
例えば、選択モードでは、図３（ａ）に示すようにＰＯＩ２１を選択して強調表示させている状態で、ＰＯＩ２２に向けてポインタＰを移動させるようにスライド操作すると、地図Ｍのスクロールが禁止された状態でポインタＰが移動して、図３（ｂ）に示すように所望のＰＯＩ２２へ選択ＰＯＩを切り替えることができる。
【００２５】
また、スクロールモードでは、ポインタＰを図４（ａ）の位置から図４（ｂ）の位置へ移動させるようにスライド操作すると、そのスライド操作にかかるスライド量およびスライド方向に応じて、地図Ｍがスクロールする。
【００２６】
このモード切り替えは、以下に説明するモード切替操作手段により行われる。すなわち、図５中の一点鎖線１４ａに示すように、タッチパッド１４の操作面の一部がモード切替操作部１４ａとして割り当てられており、このモード切替操作部１４ａがモード切替操作手段として機能する。図５の例では、車両運転者が助手席側の手の親指でモード切替操作部１４ａをタッチすることを想定しており、タッチパッド１４の操作面のうち運転者側（図１の右側）の一部を、モード切替操作部１４ａとして設定している。
【００２７】
そして、タッチパッド１４は２本の指を同時に検知可能なものである。具体的には、モード切替操作部１４ａをタッチする第１の指と、前記モード切替操作部以外の部分（通常操作部１４ｂ）をスライド操作する第２の指との両方を、同時に検知可能に構成されている。
【００２８】
モード切替操作部１４ａをタッチしている時には選択モードに切り替えられ、モード切替操作部１４ａから指を離すとスクロールモードに切り替えられる。したがって、モード切替操作部１４ａをタッチすることなく通常操作部１４ｂをスライド操作すると、スクロールモードにて地図ＭがスクロールしながらポインタＰが移動する。一方、モード切替操作部１４ａを第１の指（例えば親指）でタッチしながら、通常操作部１４ｂを第２の指（親指以外の指）でスライド操作すると、地図Ｍのスクロールが禁止されつつポインタＰが移動する。
【００２９】
なお、図４の例では、スクロールモード時であっても、選択モード時と同様にしてＰＯＩの選択変更を可能にしている。例えば、スクロールモード時にポインタＰを所望のＰＯＩ２２上でタップ操作すると、そのＰＯＩ２２に強調表示が変更されて選択変更される。
【００３０】
また、図３および図４に示すように、ディスプレイ２０には選択モード表示部２０ａが設けられており、選択モード時には、スクロールモード時とは異なる態様で選択モード表示部２０ａを表示させ、選択モードであるか否かをユーザに視認させるように構成されている。なお、モード表示部２０ａは色表示あるいはメッセージなどの文字表示であってよい。図３ではモード表示部２０ａが表示されることにより、地図Ｍのスクロールが禁止されつつ、ポインタＰのみが移動するモードであることをユーザに認識させることができる。
【００３１】
図３および図４では図示を省略しているが、ポインタＰをＰＯＩ上に位置させて強調表示させた選択状態では、図６中の符号２０ｂに示すように、選択されているＰＯＩ２３（目的地候補）に関する情報（例えば目的地の情報）がポップアップ表示される。このポップアップ表示２０ｂは、ＰＯＩの選択を変更した時点ではポインタＰと重ならない位置に表示される。つまり、図６の例では、ポインタＰが上向きの矢印であるため、ポインタＰの上側にポップアップ表示２０ｂを位置させて、ポップアップ表示２０ｂがポインタＰと重ならないようにしている。
【００３２】
所望するＰＯＩまたはそのＰＯＩのポップアップ表示にポインタＰを合わせ、その合わせた状態を所定時間以上継続させると、そのＰＯＩの選択を決定して、当該ＰＯＩまたはそのＰＯＩのポップアップ表示に割り当てられているコマンドを実行させる。例えば、目的地の詳細情報を表示させる。
【００３３】
なお、ＰＯＩの選択を変更させるべくポインタＰを移動させる際に、ポインタＰによる選択位置に、ポップアップ表示２０ｂおよびＰＯＩの両方が重なって表示されている場合には、ポップアップ表示２０ｂの選択よりも優先してＰＯＩの選択を実行し、ＰＯＩ選択を変更する。
【００３４】
次に、スクロールモードおよび選択モードの切り替えを実施する制御の手順について、図７を用いて説明する。なお、図７の処理は、ＭＰＵ１７により所定周期で繰り返し実行されるものである。
【００３５】
先ず、図７のステップＳ１０において、モード切替操作部１４ａのタッチが為されているか否かを判定する。前記タッチが無いと判定された場合（Ｓ１０：ＮＯ）、続くステップＳ２０において、遠方表示器２０の表示内容をスクロールモードにて制御する。前記タッチが有ると判定された場合（Ｓ１０：ＹＥＳ）、続くステップＳ３０において、遠方表示器２０の表示内容を選択モードにて制御する。
【００３６】
続くステップＳ４０では、同一のＰＯＩまたはポップアップ表示を所定時間以上選択しているか否かを判定し、肯定判定された場合には（Ｓ４０：ＹＥＳ）、続くステップＳ５０において、選択しているＰＯＩのコマンドを実行する。つまり、選択ＰＯＩに関する詳細情報を表示させる。
【００３７】
以上により、本実施形態によれば以下の効果が発揮される。
【００３８】
・ユーザは、スライド操作するに先立ちモード切替操作部１４ａを操作することで、地図Ｍをスクロールさせるスクロールモードと、地図Ｍのスクロールを禁止させつつＰＯＩの選択変更を可能にした選択モードとに切り替えることができる。そのため、ＭＰＵ１７は、地図Ｍのスクロールを禁止させたいのか否かを判別できるようになるので、ユーザの意図に反して地図Ｍをスクロールさせることを回避できる。
【００３９】
・タッチパッド１４の操作面の一部をモード切替操作部１４ａとして割り当てるので、モード切り替え専用のスイッチを新規に設ける場合に比べて少ない部品点数で、モード切替操作を実現できる。
【００４０】
・タッチパッド１４は、モード切替操作部１４ａをタッチする第１の指と、通常操作部１４ｂをスライド操作する第２の指との両方を同時に検知可能に構成されている。そのため、選択モードに切り替える操作とスライド操作とを片手で同時に実施できるので、その操作性を向上できる。
【００４１】
・スライド操作により同一のＰＯＩを所定時間以上選択した場合、そのＰＯＩの選択を決定して、当該ＰＯＩに割り当てられているコマンドを実行させるので、選択モードによるスライド操作とＰＯＩのコマンド実行操作の両方を、タッチパッド１４の操作で実現できる。
【００４２】
・表示操作装置１０と遠方表示器２０を分離して通信可能に構成し、車室内のうち、車両運転時の視線に近い側に遠方表示器２０を配置し、車両運転時の手元側に表示操作装置１０を配置している。そのため、ユーザは車両を運転する姿勢の状態で、表示操作装置１０をブラインド操作しながら遠方表示器２０を視認することができる。このように分離して構成した場合、タッチパッド１４をタップ操作してポインタＰを所望の位置に移動させることは困難であり、スライド操作してポインタＰを移動させることが現実的である。そのため、表示操作装置１０と遠方表示器２０を分離して構成した表示システムにおいて、「地図Ｍのスクロールを禁止させたいのか否かを判別できるようになる」といった上記効果が有効に発揮される。
【００４３】
（第２実施形態）
本実施形態では、複数のＰＯＩの密集度合いが所定以上であることを条件として、選択モードへの切り替えを許可する。具体的には、上記第１実施形態にかかる図７の処理において、図７中の一点鎖線に示すステップＳ５の処理を、ステップＳ１０の前に追加している。このステップＳ５では、ＰＯＩの密集度が所定以上であるか否かを判定する。肯定判定（Ｓ５：ＹＥＳ）された場合にはステップＳ１０に進み、モード切替操作部１４ａの操作内容にしたがってモード切替を実行する。一方、否定判定（Ｓ５：ＮＯ）された場合にはステップＳ２０に進み、モード切替操作部１４ａのタッチ有無に拘わらずスクロールモードで表示制御する。
【００４４】
ここで、ＰＯＩの密集度合いが低ければ、地図Ｍがスクロールしても、スライド操作で所望のＰＯＩを選択することが、困難にならない場合が多い。或いはタップ操作で所望のＰＯＩを選択することが、困難にならない場合が多い。一方、ＰＯＩの密集度合いが高ければ、地図Ｍのスクロールを禁止しなければ、スライド操作で所望のＰＯＩを選択することは困難になる。或いはタップ操作で所望のＰＯＩを選択することは困難になる。
【００４５】
これらの点を鑑みた本実施形態では、ＰＯＩの密集度合いが高い場合に選択モードへの切り替えを許可し、密集度合いが高い場合には選択モードへの切り替えを禁止する。よって、必要な時にだけ地図Ｍのスクロールを禁止させることができ、好適である。
【００４６】
（第３実施形態）
上記第１実施形態では、表示操作装置１０とディスプレイ（遠方表示器２０）を分離して構成しているが、本実施形態では、図８に示すように、タッチパッド１４（表示操作装置１０）とディスプレイ１５を一体に構成している。
【００４７】
具体的には、ディスプレイ１５の表示面上にタッチパッド１４が配置されていて、該表面がタッチパッド１４の操作面として機能しており、ディスプレイ１５の表示面を指で操作した時の静電容量変化をタッチパッド１４は検知して、指先動作信号として静電検出回路１６へ出力する。要するに、これらのディスプレイ１５およびタッチパッド１４が、いわゆるタッチパネル装置として機能する。
【００４８】
本実施形態では、選択モード表示部２０ａをモード切替操作部１４ａとして機能させればよい。すなわち、選択モード表示部２０ａをタッチしている時には選択モードに切り替えられ、選択モード表示部２０ａから指を離すとスクロールモードに切り替えられる。したがって、選択モード表示部２０ａをタッチすることなく他の表示部をスライド操作すると、スクロールモードにて地図ＭがスクロールしながらポインタＰが移動する。一方、選択モード表示部２０ａを第１の指（例えば親指）でタッチしながら、他の表示部を第２の指（親指以外の指）でスライド操作すると、地図Ｍのスクロールが禁止されつつポインタＰが移動する。
【００４９】
（第４実施形態）
上記第１実施形態では、ナビゲーション機器による地図Ｍ（背景）の表示をスクロールさせるか否かを切り替えている。これに対し、本実施形態では、図９および図１０に示すように、オーディオ機器による曲名選択レイヤＬ（背景）の表示をスクロールさせるか否かを切り替えている。なお、図中の曲名表示２４〜２８は曲名選択レイヤＬ上に表示されている。
【００５０】
具体的には、選択モードでは、図９（ａ）に示すようにＰＯＩ２４を選択して強調表示させている状態で、ＰＯＩ２６に向けてポインタＰを移動させるようにスライド操作すると、曲名選択レイヤＬのスクロールが禁止された状態でポインタＰが移動して、図９（ｂ）に示すように所望のＰＯＩ２６へ選択ＰＯＩを切り替えることができる。
【００５１】
また、スクロールモードでは、ポインタＰを図１０（ａ）の位置から図１０（ｂ）の位置へ移動させるようにスライド操作すると、そのスライド操作にかかるスライド量に応じて、曲名選択レイヤＬがスクロールする。
【００５２】
以上により、本実施形態によっても上記第１実施形態と同様の効果が発揮される。要するに、本発明はスクロール制御対象が地図Ｍに限定されるものではなく、例えば本実施形態の如く曲名選択レイヤＬがスクロール制御対象であってもよい。
【００５３】
（他の実施形態）
本発明は上記実施形態の記載内容に限定されず、以下のように変更して実施してもよい。また、各実施形態の特徴的構成をそれぞれ任意に組み合わせるようにしてもよい。
【００５４】
・上記第２実施形態では、タッチパッド１４とディスプレイ１５を一体に構成したタッチパネルに本発明を適用しており、このタッチパネルは、車室内のインストルメントパネル等に搭載された固定式である。これに対し、可搬式のタッチパネルを本発明に適用し、その可搬式タッチパネルを車室内に持ち込んで使用してもよい。
【００５５】
・上記第１実施形態では、表示操作装置１０とディスプレイ１５を分離して構成しており、この表示操作装置１０は、車室内のセンターコンソール等に搭載された固定式である。これに対し、可搬式の表示操作装置を本発明に適用し、その可搬式表示操作装置を車室内に持ち込んで、ディスプレイ１５と通信させて使用してもよい。あるいは、この可搬式表示操作装置は、ディスプレイ１５と通信させずに単独で使用することも可能である。
【００５６】
・図５に示すモード切替操作部１４ａに替えて、図５中の一点鎖線に示すモード切替スイッチ１９をタッチパッド１４に設けてもよい。この場合、車両運転者が助手席側の手の親指で切替スイッチ１９を押すことを想定しており、タッチパッド１４を収容するケースの側面のうち、運転者側（図１の右側）に切替スイッチ１９を配置することが望ましい。この切替スイッチ１９の操作により上記モード切替操作を実現できる。切替スイッチ１９は機械式であっても静電式、抵抗膜式であってもよい。
【００５７】
・上記第１実施形態において、モード切替操作部１４ａを所定時間以上継続してタッチしたことを条件として、選択モードに切り替えるようにしてもよい。これによれば、意図に反してモード切替操作部１４ａに一瞬触れてしまった場合に、選択モードに切り替わることを回避できる。また、モード切替操作部１４ａを親指でタッチしながら、人差し指などでタッチパネル１４の通常操作部１４ｂをスライド操作するということを要しないので、操作性が向上する。
【００５８】
・上記第１実施形態では、モード切替操作部１４ａをタッチしている時に限り選択モードを実行させているが、モード切替操作部１４ａをタッチして選択モードに切り替えた後、モード切替操作部１４ａから指を離しても選択モードが維持されるように制御してもよい。この場合、モード切替操作部１４ａを再度タッチすることで、スクロールモードに切り替わるように制御すればよい。
【００５９】
・上記第１実施形態では、選択モード時において、スライド操作のスライド量に比例してポインタＰの移動量を設定し、かつ、そのスライド方向とポインタＰの移動向きを一致させている。この変形例として、選択モード時においては、前記スライド量およびスライド方向におけるポインタ位置と最も近いＰＯＩ上にポインタＰを移動させて、ポインタＰが常にいずれかのＰＯＩ上に位置するようにしてもよい。
【００６０】
・上記第１実施形態では、ＰＯＩ２１、２２を二重線２１ｋ、２２ｋで囲むことでＰＯＩを強調表示させているが、ＰＯＩの表示色を変化（例えば反転表示）させることで強調表示させてもよい。
【００６１】
・上記第１実施形態では、スライド操作に応じてポインタＰの表示位置を移動させているが、当該ポインタＰを非表示としてもよい。
【００６２】
・上記第１実施形態では、スクロールモード時にＰＯＩの選択変更を許可しているが、スクロールモード時におけるＰＯＩの選択変更を禁止させてもよい。
【００６３】
・上記各実施形態では、スライド操作した場合において、選択モード（第１操作モード）とスクロールモード（第２操作モード）とで表示のさせ方を変更しているが、スライド操作以外の操作を実施した場合においても、第１操作モード第２操作モードとで表示のさせ方を変更させてもよい。例えば、タップ操作を連続して複数回実施する操作（ダブルタップ操作）を実施した場合に、第２操作モードでは、ダブルタップした位置を中心に地図Ｍを拡大して表示させる。一方、第１操作モードでは、ダブルタップした位置のＰＯＩに関連する情報を表示させる。
【００６４】
・上記各実施形態では、第１レイヤの表示内容を背景表示とし、第２レイヤの表示内容を複数の選択候補点として説明しているが、第１レイヤの表示内容を複数の選択候補点とし、第２レイヤの表示内容を背景表示としてもよい。この場合、第１操作モードでは、選択候補点の強調表示位置を変更させることなく、タッチパッド１４の操作に応じて背景表示を変更させ、第２操作モードでは、タッチパッド１４の操作に応じて選択候補点の強調表示位置を変更させることとなる。
【符号の説明】
【００６５】
１０…表示操作装置、１４…タッチパッド（タッチ操作手段）、１４ａ…モード切替操作部（モード切替操作手段）、１９…モード切替スイッチ（モード切替操作手段）、２０…遠方表示器（ディスプレイ）、２１〜２３…ＰＯＩ（選択候補点）、２４〜２８…ＰＯＩ（選択候補点）、Ｍ、Ｌ…背景
【図１】
0006035828.tif 000002
【図２】
0006035828.tif 000003
【図３】
0006035828.tif 000004
【図４】
0006035828.tif 000005
【図５】
0006035828.tif 000006
【図６】
0006035828.tif 000007
【図７】
0006035828.tif 000008
【図８】
0006035828.tif 000009
【図９】
0006035828.tif 000010
【図１０】
0006035828.tif 000011